(57)【要約】【課題】  大きさの異なる開口を設けることが可能な蓋構造及びこれを用いたフリーアクセスフロアパネルを提供する。【解決手段】  フリーアクセスフロアパネル２０の開口部２２に取付けられる蓋構造３０であって、開口部２２に取付けられ開口凹部３３を有する第１蓋部材３２と、第１蓋部材３２の開口凹部３３側に取付けられる第２蓋部材３４とを備えたことを特徴とするものである。【効果】  大きさの異なる開口を設けることが可能な蓋構造及びこれを用いたフリーアクセスフロアパネルを提供することができる。【選択図】      図１
2006161380.tif 000002
【特許請求の範囲】
【請求項１】
フリーアクセスフロアパネルの開口部に取付けられる蓋構造であって、
前記開口部に取付けられ開口凹部を有する第１蓋部材と、
前記第１蓋部材の開口凹部側に取付けられる第２蓋部材と
を備えたことを特徴とする蓋構造。
【請求項２】
前記第２蓋部材に開口凹部を形成すると共に、この第２蓋部材の開口凹部側に取付けられる第３蓋部材を備えたことを特徴とする請求項１に記載の蓋構造。
【請求項３】
フリーアクセスフロアパネルの開口部に取付けられる蓋構造であって、
前記開口部に取付けられ開口凹部を有する第１蓋部材と、
前記第１蓋部材の開口凹部側に取付けられる第２蓋部材と
を備えた蓋構造を用いたことを特徴とするフリーアクセスフロアパネル。
【請求項４】
前記第２蓋部材に開口凹部を形成すると共に、この第２蓋部材の開口凹部側に取付けられる第３蓋部材を備えた蓋構造を用いたことを特徴とする請求項３に記載のフリーアクセスフロアパネル。
【発明の詳細な説明】
【技術分野】
【０００１】
本発明は、フリーアクセスフロアパネルに開口する開口部に取り付けて用いられる蓋構造及びこれを用いたフリーアクセスフロアパネルに関するものである。
【背景技術】
【０００２】
例えば従来のフリーアクセスフロアパネルには、床下から床上にコード類やダクト、配管等の延長部材を引き出すために、その上面から側部にかけて開口する開口部が形成されたものがあった。このような開口部は、上記延長部材が大きな径の場合でもそれを通せるように、その開口面積が大き目に形成される場合が多かった。
【０００３】
しかしながら、そのような開口面積が大き目に形成された開口部に径が小さいコード類を通した場合は、その開口部の輪郭線とコード類の周面との間に大きな空隙ができてしまい、このためにその大きな空隙から床下にゴミ等が落下して溜まったりするほか、女性のハイヒール靴の高いかかとが落ち込んだり、靴のつま先が引っ掛かったりして非常に危険であるという問題があった。
【０００４】
このような問題を解決するために、従来は、フリーアクセスフロアパネルの開口部に蓋を設け、この蓋に種々の大きさの開口を形成した複数の蓋を用意し、その中からいずれか一の蓋を選択したり、その蓋を後に他のものと交換できるようにしたものがあった。
【０００５】
このような従来の、フリーアクセスフロアパネルの開口部に、種々の複数の蓋のいずれか一を交換可能に取り付けられるようにした構造について、図１８ないし図２２を参照しながら以下に説明する。
【０００６】
図１８はフリーアクセスフロアパネル２０の上面図、図１９はその下面図を示すものである。図１８に示すように、フリーアクセスフロアパネル２０の上面側には平面板部２０ａが形成されており、図１９に示すように、フリーアクセスフロアパネル２０の下面側には上記平面板部２０ａを補強するための多数の、長い帯板状のリブ２０ｂが互いに格子状に交差して形成されている。
【０００７】
このフリーアクセスフロアパネル２０の平面板部２０ａには、上面から側部にかけて床下に貫通する大きな開口部２２が形成されている。この開口部２２の輪郭線２２ａ近傍のリブ２０ｂの端部は、図１８，１９に示すように、開口部２２の輪郭線２２ａより内側に少し入り込んだところまで形成されている。
【０００８】
図２０に示すように、開口部２２の輪郭線２２ａの内側のリブ２０ｂの上面２０ｄは、平面板部２０ａの下面と一致していると共に、リブ２０ｂは開口部２２の輪郭線２２ａの内側に少し入り込んでいるので、平面板部２０ａの上面とリブ２０ｂの上面２０ｄとの間には段差２２ｂが形成されている。
【０００９】
このようなフリーアクセスフロアパネル２０の開口部２２には、図２１に示すように、板状の蓋部材２５が嵌合して取り付けられ、この蓋部材２５の周部は、図２０に示すように、リブ２０ｂの上面２０ｄの上に載置されて支持されるようになっている。この蓋部材２５には、図２２（ａ）に示すように、その側部に開口する径が大きなＵ字切り欠き孔２５ａが形成されている。
【００１０】
フリーアクセスフロアパネル２０の開口部２２に嵌合して取り付けられる蓋部材としては、図２２（ａ）に示すような蓋部材２５の他に、図２２（ｂ）に示す径が小さなＵ字切り欠き孔２６ａが形成された蓋部材２６や、図２２（ｃ）に示す開口部が全く形成されていない蓋部材２７のいずれか一つが用いられるようになっている。
【００１１】
このため、径が最も大きな配管やダクト等を床下から床上に引き出す場合は、フリーアクセスフロアパネル２０の開口部２２に直接配管やダクト等を通すようになっている。
【００１２】
また、上記径が最も大きなものよりは径が小さな配管やダクト等を床下から床上に引き出す場合は、図２２（ａ）に示す径が大きい方のＵ字切り欠き孔２５ａが形成された蓋部材２５を、フリーアクセスフロアパネル２０の開口部２２に取り付けて、そのＵ字切り欠き孔２５ａに配管やダクト等を通すようになっている。
【００１３】
また、それよりさらに径が小さなコード類等を床下から床上に引き出す場合は、図２２（ｂ）に示す径が小さい方のＵ字切り欠き孔２６ａが形成された蓋部材２６を前記開口部２２に取り付けて、そのＵ字切り欠き孔２６ａにコード類等を通すようになっている。
【００１４】
さらに、床下から床上に引き出すコード類やダクト、配管等が何もない場合は、図２２（ｃ）に示す開口部が全く形成されていない蓋部材２７を、前記開口部２２に取り付けるようになっている。
【発明の開示】
【発明が解決しようとする課題】
【００１５】
しかしながら、このような従来の蓋部材にあっては、色々な大きさの開口を得るためには複数の蓋部材が必要となるという問題があった。
【００１６】
そこで本発明は、上記問題点に鑑みて、大きさの異なる開口を設けることが可能な蓋構造及びこれを用いたフリーアクセスフロアパネルを提供することを課題とするものである。
【課題を解決するための手段】
【００１７】
上記課題を解決するために本発明は、
フリーアクセスフロアパネルの開口部に取付けられる蓋構造であって、
前記開口部に取付けられ開口凹部を有する第１蓋部材と、
前記第１蓋部材の開口凹部側に取付けられる第２蓋部材とを備えたことを特徴とするものである。
【００１８】
また上記課題を解決するために、本発明のフリーアクセスフロアパネルは、
フリーアクセスフロアパネルの開口部に取付けられる蓋構造であって、
前記開口部に取付けられ開口凹部を有する第１蓋部材と、
前記第１蓋部材の開口凹部側に取付けられる第２蓋部材と
を備えた蓋構造を用いたことを特徴とするものである。
【発明の効果】
【００１９】
このような本発明によれば、大きさの異なる開口を設けることが可能な蓋構造及びこれを用いたフリーアクセスフロアパネルを提供することができる。
【発明を実施するための最良の形態】
【００２０】
以下、本発明の実施の形態について、図面に基づいて具体的に説明する。
図１ないし図９は、本発明による蓋構造及びこれを用いたフリーアクセスフロアパネルの第１の実施の形態について説明するために参照する図である。従来と同様の部品には同じ符号を用いて説明し、従来と同様の構成はその重複する説明を省略するものとする。
【００２１】
図１に示す、前記従来例において説明したと同様のフリーアクセスフロアパネル２０の開口部２２は、図２に示すように、平面板部２０ａより１段低くなるように段差状に折曲って形成された周縁部２０ｅがその輪郭を形成する。このような周縁部２０ｅには、図３に示すような蓋構造３０の外周部の第１蓋部材３２の溝部３２ａ（図４参照）が嵌合して取り付けられるようになっている。
【００２２】
フリーアクセスフロアパネル２０の平面板部２０ａ上には、カーペットやタイル等の床敷設材２４が敷かれている。
【００２３】
図３に示す蓋構造３０の外周部には、図４に示すような第１蓋部材３２が配置され、また図３に示す開口部２２の中央部には、図６に示すような第３蓋部材３６が配置され、また図３に示す蓋構造３０の第１蓋部材３２と第３蓋部材３６との間には、図５に示すような第２蓋部材３４が配置されている。
【００２４】
すなわち、図４（ｂ）に示すように、第１蓋部材３２はコの字状に形成され、その内側には開口凹部３３が形成されていると共に、図４（ａ）に示すように、その断面において、第１蓋部材３２の外周部には溝部３２ａが形成され、開口凹部３３を形成する内周部３２ｃには凸部３２ｂが形成されている。
【００２５】
また、図５（ｂ）に示すように、第２蓋部材３４もコの字状に形成され、その内側には開口凹部３５が形成されていると共に、図５（ａ）に示すように、その断面において、第２蓋部材３４の外周部には溝部３４ａが形成され、開口凹部３５を形成する内周部３４ｃには凸部３４ｂが形成されている。
【００２６】
さらに、図６（ｂ）に示すように、第３蓋部材３６は、その外周部が第２蓋部材３４の内周部３４ｃに嵌合するような矩形状に形成されていると共に、図６（ａ），（ｂ）に示すように、第３蓋部材３６の外周部の三辺には、その断面において溝部３６ａが形成されている。
【００２７】
図３に示すように、蓋構造３０は、第１蓋部材３２の溝部３２ａはフリーアクセスフロアパネル２０の開口部２２の周縁部２０ｅに嵌合し、第１蓋部材３２の凸部３２ｂは第２蓋部材３４の溝部３４ａに嵌合し、第２蓋部材３４の凸部３４ｂは第３蓋部材３６の溝部３６ａに嵌合するように配置することができる。
【００２８】
フリーアクセスフロアパネル２０と、蓋構造３０の第１蓋部材３２、第２蓋部材３４、第３蓋部材３６は、その材質にアルミニウムを用いることができるが、それらに他の材質を用いてもよいことはいうまでもない。
【００２９】
このような本発明の第１の実施の形態に係る蓋構造及びこれを用いたフリーアクセスフロアパネルの使用方法について、以下に説明する。
【００３０】
このような実施の形態に係る蓋構造３０は、図７に示すように、それをフリーアクセスフロアパネル２０の開口部２２に取り付けない状態においては、開口部２２は開放されてその開口面積が最大の大きさとなる。
【００３１】
この状態の開口部２２に蓋構造３０の第１蓋部材３２を取り付けると、図８に示すように、開口部２２の開口面積は第１蓋部材３２の開口凹部３３と同じとなり、その開口面積は中位の大きさとなる。
【００３２】
また、この状態の第１蓋部材３２に蓋構造３０の第２蓋部材３４を取り付けると、図９に示すように、開口部２２の開口面積は第２蓋部材３４の開口凹部３５と同じとなり、その開口面積は最小の大きさとなる。
【００３３】
さらに、この状態の第２蓋部材３４に蓋構造３０の第３蓋部材３６を取り付けると、図１に示すように、開口部２２の開口面積は全く無くなって、開口部２２は蓋構造３０により完全に閉止された状態となる。
【００３４】
したがって、径が最も大きな配管やダクト等を床下から床上に引き出す場合は、図７に示すようなフリーアクセスフロアパネル２０の開口部２２に直接その配管やダクト等を通すことができる。
【００３５】
また、上記径が最も大きなものよりは径が小さな配管やダクト等を床下から床上に引き出す場合は、図８に示すように、開口部２２に蓋構造３０の第１蓋部材３２を取り付けた状態の、その第１蓋部材３２の開口凹部３３にその配管やダクト等を通すことができる。
【００３６】
また、上記のものよりさらに径が小さなコード類等を床下から床上に引き出す場合は、図９に示すように、蓋構造３０の第１蓋部材３２の内側に第２蓋部材３４を取り付けた状態の、その第２蓋部材３４の開口凹部３５にそのコード類等を通すことができる。
【００３７】
さらに、床下から床上に引き出すコード類やダクト、配管等が何もない場合は、図１に示すように、フリーアクセスフロアパネル２０の開口部２２に蓋構造３０の第１蓋部材３２、第２蓋部材３４、第３蓋部材３６のすべてを取り付けて、開口部２２を完全に閉止すればよいことになる。
【００３８】
以上説明したように、本発明の第１の実施の形態によれば、大きさの異なる開口を設けることが可能な蓋構造３０及びこれを用いたフリーアクセスフロアパネル２０を提供することができる。
【００３９】
図１０ないし図１３は、本発明の第２の実施の形態について説明するために参照する図である。
【００４０】
図１０に示すように、フリーアクセスフロアパネル２０の開口部２２の、平面板部２０ａよりも１段低くなるように、段差状に折れ曲がって形成された周縁部２０ｅの上面部２０ｆには、蓋構造４０の外周部の第１蓋部材４２の外周板部４２ａ（図１１参照）が載置されて支持されるようになっている。
【００４１】
図１０に示す蓋構造４０の外周部には、図１１に示すような第１蓋部材４２が配置され、また図１０に示す開口部２２の中央部には、図１３に示すような第３蓋部材４６が配置され、また図１０に示す蓋構造４０の第１蓋部材４２と第３蓋部材４６との間には、図１２に示すような第２蓋部材４４が配置されている。
【００４２】
すなわち、図１１（ｂ）に示すように、第１蓋部材４２はコの字状に形成され、その内側には開口凹部４３が形成されていると共に、図１１（ａ）に示すように、その断面において、第１蓋部材４２の内周板部４２ｂはその外周板部４２ａよりも１段低くなるように、段差状に折れ曲がって形成されている。
【００４３】
また、図１２（ｂ）に示すように、第２蓋部材４４もコの字状に形成され、その内側には開口凹部４５が形成されていると共に、図１２（ａ）に示すように、その断面において、第２蓋部材４４の内周板部４４ｂはその外周板部４４ａよりも１段低くなるように、段差状に折れ曲がって形成されている。
【００４４】
さらに、図１３（ｂ）に示すように、第３蓋部材４６は矩形状に形成されていると共に、図１３（ａ）に示すように、第３蓋部材４６はその断面において単なる平板状に形成されている。
【００４５】
このような蓋構造４０は、図１０に示すように、第１蓋部材４２の外周板部４２ａはフリーアクセスフロアパネル２０の周縁部２０ｅの上面部２０ｆの上に載置され、第１蓋部材４２の内周板部４２ｂの上には第２蓋部材４４の外周板部４４ａが載置され、第２蓋部材４４の内周板部４４ｂの上には第３蓋部材４６の周部が載置されるように配置されている。
【００４６】
このような本発明の第２の実施の形態に係る蓋構造及びこれを用いたフリーアクセスフロアパネルの使用方法について、以下に説明する。
【００４７】
このような実施の形態に係る蓋構造４０は、図７に示すように、それをフリーアクセスフロアパネル２０の開口部２２に取り付けない状態においては、開口部２２は開放されてその開口面積が最大の大きさとなる。
【００４８】
この状態の開口部２２に蓋構造４０の第１蓋部材４２を取り付けると、図８に示すと同様に、開口部２２の開口面積は第１蓋部材４２の開口凹部４３と同じとなり、その開口面積は中位の大きさとなる。
【００４９】
また、この状態の第１蓋部材４２の開口凹部４３側に蓋構造４０の第２蓋部材４４を取り付けると、図９に示すと同様に、開口部２２の開口面積は第２蓋部材４４の開口凹部４５と同じとなり、その開口面積は最小の大きさとなる。
【００５０】
さらに、この状態の第２蓋部材４４の開口凹部４５側に蓋構造４０の第３蓋部材４６を取り付けると、図１に示すと同様に、開口部２２の開口面積は全く無くなって、開口部２２は蓋構造４０により完全に閉止された状態となる。
【００５１】
したがって、径が最も大きな配管やダクト等を床下から床上に引き出す場合は、図７に示すようなフリーアクセスフロアパネル２０の開口部２２に、直接その配管やダクト等を通すことができる。
【００５２】
また、上記径が最も大きなものよりは径が小さな配管やダクト等を床下から床上に引き出す場合は、図８に示すと同様に、開口部２２に蓋構造４０の第１蓋部材４２を取り付けた状態の、その第１蓋部材４２の開口凹部４３にその配管やダクト等を通すことができる。
【００５３】
また、上記のものよりさらに径が小さなコード類等を床下から床上に引き出す場合は、図９に示すと同様に、蓋構造４０の第１蓋部材４２の開口凹部４３側に第２蓋部材４４を取り付けた状態の、その第２蓋部材４４の開口凹部４５にそのコード類等を通すことができる。
【００５４】
さらに、床下から床上に引き出すコード類やダクト、配管等が何もない場合は、図１に示すと同様に、フリーアクセスフロアパネル２０の開口部２２に蓋構造４０の第１蓋部材４２、第２蓋部材４４、第３蓋部材４６のすべてを取り付けて、開口部２２を完全に閉止すればよいことになる。
【００５５】
このような本発明の第２の実施の形態によっても、前記第１の実施の形態と同様に、大きさの異なる開口を設けることが可能な蓋構造４０及びこれを用いたフリーアクセスフロアパネル２０を提供することができる。
【００５６】
図１４ないし図１７は、本発明の第３の実施の形態について説明するために参照する図である。
【００５７】
図１４に示すように、フリーアクセスフロアパネル２０の開口部２２の、平面板部２０ａよりも低くなるように段差状に折れ曲がって形成された周縁部２０ｅの上面部２０ｆには、蓋構造５０の第１蓋部材５２の外周部が載置されて支持されるようになっている。
【００５８】
図１４に示す蓋構造５０の外周部には、図１５に示すような第１蓋部材５２が配置され、また図１４に示す開口部２２の中央部には、図１７に示すような第３蓋部材５６が配置され、また図１４に示す蓋構造５０の第１蓋部材５２と第３蓋部材５６との間には、図１６に示すような第２蓋部材５４が配置されている。
【００５９】
すなわち、図１５に示すように、第１蓋部材５２は、上面と一側面が開放された箱状に形成され、その底板部５２ｂには大きなＵ字切り欠き孔５３（開口凹部）が形成されていると共に、図１５（ａ）に示すように、その断面において、第１蓋部材５２の側板部５２ａはその底板部５２ｂに対して直角に立上がるように形成されている。
【００６０】
また、図１６に示すように、第２蓋部材５４は、上面と一側面が開放された、第１蓋部材５２よりもその深さが浅い箱状に形成され、その底板部５４ｂには小さなＵ字切り欠き孔５５（開口凹部）が形成されていると共に、図１６（ａ）に示すように、その断面において、第２蓋部材５４の側板部５４ａはその底板部５４ｂに対して直角に立上がるように形成されている。
【００６１】
さらに、図１７（ｂ）に示すように、第３蓋部材５６は矩形状に形成されていると共に、図１７（ａ）に示すように、第３蓋部材５６はその断面において単なる平板状に形成されている。
【００６２】
このような蓋構造５０は、図１４に示すように、第１蓋部材５２はフリーアクセスフロアパネル２０の周縁部２０ｅの上面部２０ｆの上に載置され、第１蓋部材５２の底板部５２ｂの上には第２蓋部材５４が載置され、第２蓋部材５４の底板部５４ｂの上には第３蓋部材５６が載置されて配置されている。
【００６３】
このような本発明の第３の実施の形態に係る蓋構造及びこれを用いたフリーアクセスフロアパネルの使用方法について、以下に説明する。
【００６４】
このような実施の形態に係る蓋構造５０は、図７に示すように、それをフリーアクセスフロアパネル２０の開口部２２に取り付けない状態においては、開口部２２は開放されてその開口面積が最大の大きさとなる。
【００６５】
この状態の開口部２２に蓋構造５０の第１蓋部材５２を取り付けると、図８に示すと同様に、開口部２２の開口面積は第１蓋部材５２のＵ字切り欠き孔５３と同じとなり、その開口面積は中位の大きさとなる。
【００６６】
また、この状態の第１蓋部材５２のＵ字切り欠き孔５３側に蓋構造５０の第２蓋部材５４を取り付けると、図９に示すと同様に、開口部２２の開口面積は第２蓋部材５４のＵ字切り欠き孔５５と同じとなり、その開口面積は最小の大きさとなる。
【００６７】
さらに、この状態の第２蓋部材５４のＵ字切り欠き孔５５側に蓋構造５０の第３蓋部材５６を取り付けると、図１に示すと同様に、開口部２２の開口面積は全く無くなって、開口部２２は蓋構造５０により完全に閉止された状態となる。
【００６８】
したがって、径が最も大きな配管やダクト等を床下から床上に引き出す場合は、図７に示すようなフリーアクセスフロアパネル２０の開口部２２に、直接その配管やダクト等を通すことができる。
【００６９】
また、上記径が最も大きなものよりは径が小さな配管やダクト等を床下から床上に引き出す場合は、図８に示すと同様に、開口部２２に蓋構造５０の第１蓋部材５２を取り付けた状態の、その第１蓋部材５２のＵ字切り欠き孔５３にその配管やダクト等を通すことができる。
【００７０】
また、上記のものよりさらに径が小さなコード類等を床下から床上に引き出す場合は、図９に示すと同様に、蓋構造５０の第１蓋部材５２のＵ字切り欠き孔５３側に第２蓋部材５４を取り付けた状態の、その第２蓋部材５４の切り欠き孔５５にそのコード類等を通すことができる。
【００７１】
さらに、床下から床上に引き出すコード類やダクト、配管等が何もない場合は、図１に示すと同様に、フリーアクセスフロアパネル２０の開口部２２に蓋構造５０の第１蓋部材５２、第２蓋部材５４、第３蓋部材５６のすべてを取り付けて開口部２２を完全に閉止すればよいことになる。
【００７２】
このような本発明の第３の実施の形態によっても、前記第１，第２の実施の形態と同様に、大きさの異なる開口を設けることが可能な蓋構造５０及びこれを用いたフリーアクセスフロアパネル２０を提供することができる。
【００７３】
なお、前記第１の実施の形態においては、蓋構造３０が３つの蓋部材３２，３４，３６から構成される場合について説明したが、蓋構造は２つの蓋部材、又は４つ以上の蓋部材から構成されるようにしてもよい。
【００７４】
また、前記実施の形態においては、開口部がフリーアクセスフロアパネル２０の側部に開口している場合に、蓋構造をその側部の開口部に取り付ける場合について説明したが、本発明に係る蓋構造は、開口部が必ずしもフリーアクセスフロアパネル２０の側部に開口した場合に限られず、開口部が、フリーアクセスフロアパネル２０の平面中央部、又はそのパネル２０の側部より中央部寄りの内側の平面位置に、四方が囲まれた状態で開口している場合でも、蓋構造を開口部に取り付けることが可能である。
【００７５】
また、本発明に係る蓋構造は、前記第１、第２、第３の実施の形態に係る蓋構造を組み合わせた形態でも実施可能である。したがって、例えば、前記第１の実施の形態に係る蓋構造３０の一番外側の第１蓋部材３２の断面形状の代りに、前記第２、第３の実施の形態に係る蓋構造４０，５０の第１蓋部材４２，５２と同様の断面形状を採用することにより、開口部が、フリーアクセスフロアパネル２０平面中央部、又はそのパネル２０の側部より中央部寄りの内側の平面位置に、四方が囲まれた状態で開口している場合でも蓋構造を開口部に取り付けることを可能にすることができる。
【図面の簡単な説明】
【００７６】
【図１】本発明の第１の実施の形態に係る蓋構造３０の第１蓋部材３２、第２蓋部材３４、第３蓋部材３６の全てを開口部２２に取り付けた状態のフリーアクセスフロアパネル２０を示す上面図である。
【図２】フリーアクセスフロアパネル２０の開口部２２の正面図である。
【図３】フリーアクセスフロアパネル２０の開口部２２に取り付けた状態の蓋構造３０の正面図である。
【図４】蓋構造３０の第１蓋部材３２を示す図であり、図４（ａ）はその正面図、図４（ｂ）はその平面図である。
【図５】蓋構造３０の第２蓋部材３４を示す図であり、図５（ａ）はその正面図、図５（ｂ）はその平面図である。
【図６】蓋構造３０の第３蓋部材３６を示す図であり、図６（ａ）はその正面図、図６（ｂ）はその平面図である。
【図７】開口部２２に蓋構造３０を取り付けない状態のフリーアクセスフロアパネル２０の平面図である。
【図８】開口部２２に蓋構造３０の第１蓋部材３２を取り付けた状態のフリーアクセスフロアパネル２０の平面図である。
【図９】開口部２２に取り付けた第１蓋部材３２に蓋構造３０の第２蓋部材３４を取り付けた状態のフリーアクセスフロアパネル２０の平面図である。
【図１０】本発明の第２の実施の形態に係る蓋構造４０をフリーアクセスフロアパネル２０の開口部２２に取り付けた状態の正面図である。
【図１１】蓋構造４０の第１蓋部材４２を示す図であり、図１１（ａ）はその正面図、図１１（ｂ）はその平面図である。
【図１２】蓋構造４０の第２蓋部材４４を示す図であり、図１２（ａ）はその正面図、図１２（ｂ）はその平面図である。
【図１３】蓋構造４０の第３蓋部材４６を示す図であり、図１３（ａ）はその正面図、図１３（ｂ）はその平面図である。
【図１４】本発明の第３の実施の形態に係る蓋構造５０をフリーアクセスフロアパネル２０の開口部２２に取り付けた状態の正面図である。
【図１５】蓋構造５０の第１蓋部材５２を示す図であり、図１５（ａ）はその正面図、図１５（ｂ）はその平面図である。
【図１６】蓋構造５０の第２蓋部材５４を示す図であり、図１６（ａ）はその正面図、図１６（ｂ）はその平面図である。
【図１７】蓋構造５０の第３蓋部材５６を示す図であり、図１７（ａ）はその正面図、図１７（ｂ）はその平面図である。
【図１８】開口部２２を有する従来のフリーアクセスフロアパネル２０を示す上面図である。
【図１９】図１８におけるフリーアクセスフロアパネル２０の下面図である。
【図２０】図１９におけるフリーアクセスフロアパネル２０のＢ−Ｂ線矢視断面図である。
【図２１】開口部２２に蓋部材２５を取り付けた状態のフリーアクセスフロアパネル２０の上面図である。
【図２２】蓋部材を示す図であり、図２２（ａ）は蓋部材２５を示す平面図、図２２（ｂ）は蓋部材２６を示す平面図、図２２（ｃ）は蓋部材２７を示す平面図である。
【符号の説明】
【００７７】
２０  フリーアクセスフロアパネル
２０ａ  平面板部
２０ｂ  リブ
２０ｄ  上面
２０ｅ  周縁部
２０ｆ  上面部
２２  開口部
２２ａ  輪郭線
２２ｂ  段差
２５  蓋部材
２５ａ  Ｕ字切り欠き孔
２６  蓋部材
２６ａ  Ｕ字切り欠き孔
２７  蓋部材
３０  蓋構造
３２  第１蓋部材
３２ａ  溝部
３２ｂ  凸部
３２ｃ  内周部
３３  開口凹部
３４  第２蓋部材
３４ａ  溝部
３４ｂ  凸部
３４ｃ  内周部
３５  開口凹部
３６  第３蓋部材
３６ａ  溝部
４０  蓋構造
４２  第１蓋部材
４２ａ  外周板部
４２ｂ  内周板部
４３  開口凹部
４４  第２蓋部材
４４ａ  外周板部
４４ｂ  内周板部
４５  開口凹部
４６  第３蓋部材
５０  蓋構造
５２  第１蓋部材
５２ａ  外周板部
５２ａ  底板部
５２ｂ  側板部
５３  Ｕ字切り欠き孔
５４  第２蓋部材
５４ａ  側板部
５４ｂ  底板部
５５  Ｕ字切り欠き孔
５６  第３蓋部材
【図１】
2006161380.tif 000003
【図２】
2006161380.tif 000004
【図３】
2006161380.tif 000005
【図４】
2006161380.tif 000006
【図５】
2006161380.tif 000007
【図６】
2006161380.tif 000008
【図７】
2006161380.tif 000009
【図８】
2006161380.tif 000010
【図９】
2006161380.tif 000011
【図１０】
2006161380.tif 000012
【図１１】
2006161380.tif 000013
【図１２】
2006161380.tif 000014
【図１３】
2006161380.tif 000015
【図１４】
2006161380.tif 000016
【図１５】
2006161380.tif 000017
【図１６】
2006161380.tif 000018
【図１７】
2006161380.tif 000019
【図１８】
2006161380.tif 000020
【図１９】
2006161380.tif 000021
【図２０】
2006161380.tif 000022
【図２１】
2006161380.tif 000023
【図２２】
2006161380.tif 000024